(57)【要約】【課題】簡単な構造で、耐久性に優れた電子機器におけるコネクタの抜け止め構造を提供する。【解決手段】凹部１４を有するケース本体１０と、凹部に収容設置され、端部にコネクタ２２を搭載した回路基板２１と、凹部の開口を被った閉成状態で本体ケースに係止される蓋体２６とを備え、蓋体２６は、一端が前記ケース本体に回動自在に支持され、他端に、蓋体の閉成状態で、コネクタに結合された外部コネクタに係合するフック２９を備えたものである。【選択図】　　　　図２
2004006145.tif 000002
【特許請求の範囲】
【請求項１】
凹部を有するケース本体と、前記凹部に収容設置され、端部にコネクタを搭載した回路基板と、前記凹部の開口を被った閉成状態で本体ケースに係止される蓋体とを備え、前記蓋体は、一端が前記ケース本体に回動自在に支持され、他端に、前記蓋体の閉成状態で、前記コネクタに結合された外部コネクタに係合するフックを備えていることを特徴とする電子機器のコネクタ抜け止め構造。
【請求項２】
蓋体の先端部に、該蓋体を開成するための工具挿入孔を形成したことを特徴とする請求項１記載の電子機器のコネクタ抜け止め構造。
【請求項３】
蓋体の側辺に張出し部を形成し、該張出し部をケース本体の側壁に載置させることを特徴とする請求項１または請求項２記載の電子機器のコネクタ抜け止め構造。
【請求項４】
ケース本体に外部コネクタ挿入用開口を形成し、外部コネクタを回路基板上のコネクタに案内するように前記外部コネクタ挿入用開口を画成する壁面を外方に向かって開く斜面に形成したことを特徴とする請求項１から請求項３のうちのいずれか１項記載の電子機器のコネクタ抜け止め構造。
【請求項５】
蓋体の閉成状態で該蓋体でコネクタを押圧保持させるように、前記蓋体の閉成高さを設定したことを特徴とする請求項１から請求項４のうちのいずれか１項記載の電子機器のコネクタ抜け止め構造。
【発明の詳細な説明】
【０００１】
【発明の属する技術分野】
本発明は、電子機器のコネクタ抜け止め構造に関するものである。
【０００２】
【従来の技術】
回路基板にコネクタを搭載し、このコネクタ（以下、雌コネクタという）に外部コードのコネクタ（以下、雄コネクタという）を連結させる構造を備えた電子機器では、雄コネクタが該コネクタに作用する外力によって抜ける虞がある。
そこで、このような電子機器では、雄コネクタを挿入させるために形成したケース本体の孔の周縁にコネクタ抜け止め手段を配設している。
【０００３】
このようなコネクタ抜け止め手段としては、例えば、先端に爪を備えたレバーをケース本体に配設し、雄コネクタを雌コネクタに結合させた状態で、レバーの爪を雄コネクタに係合させて雄コネクタの抜け止めを行っているもの，孔の周縁に爪を突設し、該爪の弾性を利用して雄コネクタを雌コネクタに係合させて雄コネクタの抜け止めを行っているもの等がある。
【０００４】
【発明が解決しようとする課題】
上記従来の電子機器におけるコネクタの抜け止め構造は以上のように構成されているので、前者の場合はコネクタを結合させた状態でレバーをロックしなければならず、ロック機構を必要とするため、構造が複雑になり、また後者の場合は爪を撓めてコネクタの着脱を行うため、爪の耐久性が低下する虞があるなどの課題があった。
【０００５】
この発明は、上記のような課題を解決するためになされたもので、簡単な構造で、耐久性に優れた電子機器におけるコネクタの抜け止め構造を提供することを目的とする。
【０００６】
【課題を解決するための手段】
この発明に係る電子機器のコネクタ抜け止め構造は、コネクタを搭載した回路基板を収容した凹部の開口を被う蓋体を備え、この蓋体は、一端が前記ケース本体に回動自在に支持され、他端に、前記蓋体の閉成状態で、前記コネクタに結合された外部コネクタに係合するフックを備えているものである。
【０００７】
この発明に係る電子機器のコネクタ抜け止め構造は、蓋体の先端部に、該蓋体を開成するための工具挿入孔を形成したものである。
【０００８】
この発明に係る電子機器のコネクタ抜け止め構造は、前記蓋体の側辺に張出し部を形成し、該張出し部をケース本体の側壁に載置させるようにしたものである。
【０００９】
この発明に係る電子機器のコネクタ抜け止め構造は、前記ケース本体に外部コネクタ挿入用開口を形成し、外部コネクタを前記回路基板のコネクタに案内するように、前記外部コネクタ挿入用開口を画成する壁面を外方に向かって開く斜面に形成したものである。
【００１０】
この発明に係る電子機器のコネクタ抜け止め構造は、蓋体の閉成状態で、該蓋体でコネクタを押圧保持させるように、前記蓋体の閉成高さを設定したものである。
【００１１】
【発明の実施の形態】
以下、この発明の実施の一形態を説明する。
実施の形態１．
図１はこの発明のコネクタの抜け止め構造を備えた流量計の概念的な分解斜視図、図２はその抜け止め構造の要部を示した斜視図、図３は外部コネクタ挿入用開口部の拡大平面図、図４は図１に示した流量計の縦断面図、図５は図１に示した流量計の平面図である。
【００１２】
この流量計では、図４に示したように、ケース本体１０の下部に流路１１が形成されている。この流路は、ケース本体１０の両端面にそれぞれ形成された入口ポート１２，出口ポート１３に対して垂直に形成された流路部分１１ａ，１１ｂと、それらの上端部を連通するように形成された流路部分１１ｃとによってコ字状に形成されている。
【００１３】
また、ケース本体１０は、図１に示したように、上部に上方に開口する凹部１４を有している。この凹部１４は、側壁１５，１６と端壁１７，１８とによって形成されている。そして、この凹部１４の底壁１９には、その中央部に流路部分１１ｃに開口する溝２０が形成されている。
【００１４】
そして、凹部１４の底壁１９には回路基板２１が接着剤等によって固定され、該回路基板によって溝２０の上方開口が塞がれて、流路部分１１ｃが形成される。この回路基板２１には、上面にコネクタ（以下、雌コネクタという）２２や各種機能をもった素子が搭載されている。また、回路基板２１の下面中央部には、雌コネクタ２２に接続されたマイクロフローセンサ２３が接着剤等によって固定されており、該センサ２３は流路１１内に臨んで配置される。
【００１５】
ケース本体１０の凹部１４を画成する側壁１５，１６の一端には、図５に示したように、孔２４，２５が形成されている。そして、それらの孔２４，２５には、蓋体２６の一端部側面にそれぞれ突設させたピン２７，２８が挿嵌され、それによって蓋体２６が側壁１５，１６に対して回動自在に保持されている。
【００１６】
この蓋体２６には、先端にフック２９が形成され、先端部の両側面に突起３０，３１がそれぞれ形成されている。さらに、この蓋体２６の先端部中央には孔３２が形成されており、この孔３２は、図４に示したように、外方に広がる斜面３２ａを有している。また、この蓋体２６の両側辺には張出し部３３，３４が形成されている。
【００１７】
一方、側壁１５，１６の他端には、爪状の切欠き３５，３６が形成され、さらに、中間部には、段状の切欠き３７，３８が形成されている。
また、一方の端壁１８には、雌コネクタ２２の開口２２ａに合致する形状の開口３９が形成されている。そして、この開口３９を画成する縁面は外方に向けて広がる傾斜面（湾曲面を含む）３９ａによって形成されている。
【００１８】
そして、この流量計は、蓋体２６を開成させた状態で、開口３９からコード４０を有する外部コネクタ（以下、雄コネクタという）４１を挿入すると、該雄コネクタは雌コネクタ２２に結合される。その際に、雄コネクタ４１は開口３９の斜面３９ａによって雌コネクタ２２に対して正しく案内され、コネクタ同士の結果が確実に行われる。
次いで、この蓋体２６を、ピン２７，２８を中心にして回動させ、先端の突起３０，３１を側壁１５，１６の切欠き３５，３６に係合させることによって、ケース本体１０に係止させる。
この状態では、蓋体２６は雌コネクタ２２を押圧保持するので、雌コネクタ２２は凹部１４内に確実に保持される。また、蓋体２６の張出し部３３，３４が側壁１５，１６の段状切欠き３７，３８に載置されるため、蓋体２６は外力によって受けても変形、破損を阻止する。
また、蓋体２６のフック２９が図４に示したように、雄コネクタ４１の挿入方向後端に係止するため、該雄コネクタが雌コネクタ２２から抜け出すのを防止する。
【００１９】
雄コネクタ４１を雌コネクタ２２から抜く場合には、蓋体２６の孔３２にドライバー等の工具の先端を挿入し、該ドライバーによって蓋体２６を開成して、フック２９と雄コネクタ４１との係合を解除すればよい。
【００２０】
なお、この流量計では、図１に示したように、入口ポート１２に例えば、先端に吸着パッド（図示せず）等を備えたホース４２のコネクタ４３を結合させ、出口ポート１３に真空ポンプ（図示せず）等に接続したホース４４のコネクタ４５を結合させる。
そして、真空ポンプを作動させると、流体は入口ポート１２から流路１１の流路部分１１ａに吸引され、流路部分１１ｃ，１１ｂ，出口ポート１３を経て真空ポンプに吸引される。
その際、流体は流路部分１１ｃにおいて、センサ２３によって流速が計測される。
【００２１】
【発明の効果】
以上のように、この発明によれば、凹部を有するケース本体と、前記凹部に収容設置され、端部にコネクタを搭載した回路基板と、前記凹部の開口を被った閉成状態で本体ケースに係止される蓋体と、前記蓋体は、一端が前記ケース本体に回動自在に支持され、他端に、前記蓋体の閉成状態で、前記コネクタに結合された外部コネクタに係合するフックを備えて構成したので、特別にコネクタ抜け止め手段を設けることなく、しかも蓋体にフックを形成するだけなので、構造も極めて単純であるという効果がある。
【００２２】
この発明によれば、蓋体の先端部に、該蓋体を開成するための工具挿入孔を形成して構成したので、ドライバー等の工具を孔に挿入することによって蓋体を容易に開成することができるという効果がある。
【００２３】
この発明によれば、蓋体の側辺に張出し部を形成し、該張出し部をケース本体の側壁に載置させるようにして構成したので、蓋体に外力が加わっても、蓋体が凹む変形する虞はなく、回路基板上の素子を保護することができるという効果がある。
【００２４】
この発明によれば、ケース本体に外部コネクタ挿入用開口を形成し、外部コネクタを前記回路基板のコネクタに案内するように、前記外部コネクタ挿入用開口を画成する壁面を外方に向かって開く斜面に構成したので、外部コネクタを回路基板のコネクタに容易に結合させることができるという効果がある。
【００２５】
この発明によれば、蓋体の閉成状態で該蓋体でコネクタを押圧保持させるように、蓋体の閉成高さを設定して構成したので、回路基板上のコネクタはケース本体に確実に保持されるという効果がある。
【図面の簡単な説明】
【図１】この発明のコネクタ抜け止め構造を備えた流量計の概念的な分解斜視図である。
【図２】図１に示した流量計の要部を示した斜視図である。
【図３】外部コネクタ挿入用開口部の拡大平面図である。
【図４】図１に示した流量計の縦断面図である。
【図５】図１に示した流量計の平面図である。
【符号の説明】
１０　ケース本体
１１　流路
１１ａ，１１ｂ，１１ｃ　流路部分
１４　凹部
１５，１６　側壁
１７，１８　端壁
１９　底壁
２１　回路基板
２２　雌コネクタ
２３　センサ
２６　蓋体
２７，２８　ピン
２９，３０　突起
３２ａ　斜面
３３，３４　張出し部
３５，３６　爪状の切欠き
３７，３８　段状の切欠き
３９　開口
３９ａ　傾斜面
４１　雄コネクタ
【図１】
2004006145.tif 000003
【図２】
2004006145.tif 000004
【図３】
2004006145.tif 000005
【図４】
2004006145.tif 000006
【図５】
2004006145.tif 000007